(57)【要約】【課題】アンテナパターンの欠損部による通信距離の低下を好適に抑制しつつ、アンテナの大型化を招くことなく、多様なＩＣチップの仕様や広域の通信周波数に対応できるダイポール型ＩＣタグ用アンテナを提供する。【解決手段】ダイポール型ＩＣタグ用アンテナにおいて、放射部延伸方向と交叉する方向に分岐する一対の分岐路１１２とそれら一対の分岐路１１２を合流させる合流路１１１とを繰り返し形成しながら放射部延伸方向にアンテナ線材を延伸させてアンテナ放射部を構成し、合流路１１１は一対の分岐路１１２の合流点ｎから次の一対の分岐路１１２の分岐点ｍに向かって放射部延伸方向に延びる形態のものにする。【選択図】図１
2011182392.tif 000002
【特許請求の範囲】
【請求項１】
互いに逆方向に延伸する一対のアンテナ放射部を具備し、各アンテナ放射部は放射部延伸方向と交叉する方向に分岐する一対の分岐路とそれら一対の分岐路を合流させる合流路とを各々の放射部延伸方向に繰り返し連ねることによって構成され、前記合流路は一対の分岐路の合流点から次の一対の分岐路の分岐点に向かって前記放射部延伸方向に延びる形態をなすことを特徴とするダイポール型ＩＣタグ用アンテナ。
【請求項２】
アンテナ放射部が、一対のメアンダ状をなす導体部を複数個所において、重畳、または、短絡させて合流路としたアンテナパターンによって構成されている請求項１記載のダイポール型ＩＣタグ用アンテナ。
【請求項３】
分岐点から合流点までの分岐路がループ状をなし、隣接するループ間に隙間が設けられて、その隙間において合流路を破断することにより、破断箇所よりも外側に位置するアンテナ放射部を切り離し得るようにしている請求項２記載のダイポール型ＩＣタグ用アンテナ。
【請求項４】
前記アンテナパターンは、放射部延伸方向の中央部に放射部延伸方向と交叉する方向に分岐する一対の中央分岐路を有し、前記両中央分岐路の合流点の両側に前記アンテナ放射部を有したものであって、前記中央分岐路の一方をＩＣチップ実装部とし、他方をインピーダンス調整部とし、前記中央分岐路と該中央分岐路に最も近いアンテナ放射部に属する分岐路との間に位置する合流路を、放射部延伸方向に沿って２つに分離させることで、分離路と前記分岐路が中央分岐路側に属し得るように構成している請求項１記載のダイポール型ＩＣタグ用アンテナ。
【請求項５】
互いに逆方向に延伸する一対のアンテナ放射部を具備し、各アンテナ放射部は放射部延伸方向と交叉する方向に分岐する一対の分岐路とそれら一対の分岐路を合流させる合流路とを各々の放射部延伸方向に繰り返し連ねることによって構成され、前記合流路は一対の分岐路の合流点から次の一対の分岐路の分岐点に向かって前記放射部延伸方向に延びる形態をなすダイポール型ＩＣタグ用アンテナのアンテナパターンを、ロール状に巻き取り可能な基材上に巻き取り方向に沿って多数形成し、当該基材をロール状に巻き取ってなることを特徴とするアンテナロール。
【請求項６】
前記一対のアンテナ放射部の間にＩＣチップ実装部を有し、当該ＩＣチップ実装部にＩＣチップを実装している請求項５記載のアンテナロール。
【請求項７】
ＩＣタグ用アンテナのアンテナ放射部の少なくとも一箇所に放射部延伸方向と交叉する方向に分岐する一対の分岐路を有しているＩＣタグを、前記分岐路を有したまま使用することを特徴とするＩＣタグの使用方法。
【発明の詳細な説明】
【技術分野】
【０００１】
本発明は、ダイポール型ＩＣタグ用アンテナ、アンテナロール及びＩＣタグの使用方法に関するものである。
【背景技術】
【０００２】
従来、ＲＦＩＤタグとも称されるＩＣタグが知られているが、近年、従来のものよりも通信距離を長くする要求があり、それに伴い、ＩＣタグとリーダライタとの通信が電磁誘導方式から電波通信方式へ変更されてきている。通信周波数も、それまでのＨＦ帯に代えて電波通信が可能なＵＨＦ帯が用いられ、ＩＣタグ用のアンテナとして、半波長ダイポールアンテナが用いられることが多くなった。
【０００３】
半波長ダイポールアンテナとは、アンテナの放射用の部位（本願においてはアンテナ放射部と記述する）の実効長であるアンテナ長を通信波長の約１／２にしたダイポールアンテナのことである（例えば特許文献１、２参照）。
【０００４】
ＩＣタグ用半波長ダイポールアンテナの基本的な構成を図９に示す。同図の半波長ダイポールアンテナでは、ＩＣチップ（図示せず）が配置されるＩＣチップ実装端１０３を有するＩＣチップ実装部１０１と、アンテナのインピーダンスを調整するインピーダンス調整部１０２と、一対のアンテナ放射部１１とを具備する。
【０００５】
図９の半波長ダイポールアンテナは、ＩＣチップ実装部１０１とインピーダンス調整部１０２とにより、中央分岐路１０を構成し、アンテナ放射部１１が接続される２つの点によって分けられる。中央分岐路１０の内、ＩＣチップ実装端１０３を有する一方がＩＣチップ実装部１０１であり、他方がインピーダンス調整部１０２である。この構成により、高周波回路においては、図１０に示される回路と仮想的に等価な回路を構成する。
【０００６】
ＩＣタグにおいては、一般的にはＩＣチップは電源を持たず、アンテナで受信した電力で動作する。そのため、アンテナ放射部１１は、ＩＣチップ実装端１０３に接続して使用する図示しないＩＣチップとインピーダンス整合を取ることにより、ＩＣチップに電源を供給する必要がある。
【先行技術文献】
【特許文献】
【０００７】
【特許文献１】特開２００６−２１７０００号公報
【特許文献２】特開２００７−２４９６２０号公報
【発明の概要】
【発明が解決しようとする課題】
【０００８】
近年ＩＣタグは、従来のものより、通信距離を長くする要求があり、それに伴い、ダイポール型アンテナを用いた電波通信方式で通信するようになり、電磁誘導方式で通信していた際のループアンテナやコイルアンテナに比べ、アンテナの大型化を招く傾向にある。そこで、通信周波数の高いＵＨＦ帯で通信を行い、更に、アンテナ放射部をメアンダ状に折り曲げる（例えば特許文献１）ことや、アンテナ放射部のパターンを細くするなどして、アンテナの大型化を防いできた。
【０００９】
しかし、カードやシート状のＩＣタグに使用するアンテナであるＩＣタグ用アンテナにおいては、アンテナパターンは、エッチングや印刷によって形成する為、細いアンテナパターンは、製造時や使用時に欠損部が生じ易くなるという問題が生じた。
【００１０】
アンテナパターンに欠損部が生じると交流であっても電流が著しく流れ難くなり、全体としての実効アンテナ長も大きく変化するため、電流分布が大きく変化する。電流分布が変化するとアンテナの通信距離が著しく低下するという問題が起きる。
【００１１】
また、アンテナ放射部のパターンの太さは、通信周波数とアンテナのインピーダンスとの間の相関性に影響を与え、パターンが細いと通信周波数の変化により、アンテナのインピーダンスが変化し易く、対応できる通信周波数の範囲が狭くなる。
【００１２】
本発明は、このような課題に着目してなされたものであって、アンテナパターンの欠損部による通信距離の低下を好適に抑制しつつ、アンテナの大型化を招くことなく、多様なＩＣチップの仕様や広域の通信周波数に対応できるダイポール型ＩＣタグ用アンテナ、アンテナロール及びＩＣタグの使用方法を提供することを目的としている。
【課題を解決するための手段】
【００１３】
本発明のダイポール型ＩＣタグ用アンテナは、かかる目的を達成するために、次のような手段を講じたものである。
【００１４】
すなわち本発明のダイポール型ＩＣタグ用アンテナは、互いに逆方向に延伸する一対のアンテナ放射部を具備し、各アンテナ放射部は放射部延伸方向と交叉する方向に分岐する一対の分岐路とそれら一対の分岐路を合流させる合流路とを各々の放射部延伸方向に繰り返し連ねることによって構成され、前記合流路は一対の分岐路の合流点から次の一対の分岐路の分岐点に向かって前記放射部延伸方向に延びる形態をなすことを特徴とする。
【００１５】
分岐と合流は規則的であることが望ましい。ここで云う「規則的に」とは、放射部延伸方向に所定ピッチで分岐と合流を繰り返す構成や、分岐された部位の線路（以下分岐路）の形状が等しくする構成だけでなく、所定の規則に従い分岐路のピッチや形状が変化するものを含む。
【００１６】
ダイポール型ＩＣタグ用アンテナにおいて、アンテナ放射部を折り曲げてメアンダ状にする等し、実効アンテナ長を確保する場合、アンテナパターンの一部に欠損部が生じると交流であっても電流が著しく流れ難くなり、全体としての実効アンテナ長も大きく変化するため、電流分布が大きく変化する。
【００１７】
本発明においては、アンテナ線材の分岐した部分において一方の分岐路が欠損しても、本来そこに流れるべき電流が他方の分岐路に迂回して流れ、全体としての実効アンテナ長の変化も抑えられるため、適切な放射特性を維持することができる。
【００１８】
また、本発明のダイポール型ＩＣタグ用アンテナにおいても合流路に欠損部が生じると実効アンテナ長が変化するが、合流路は放射部延伸方向を向いているので、放射部延伸方向の長さを短くし、また、分岐路に比べて線幅を太く構成することができる。つまり、製造時及び使用時において太く短い合流路を完全に破断させるような欠損部が生じる可能性は極めて低いため、放射部延伸方向のアンテナサイズに影響を与えず、欠損しにくい形状にすることが容易である。
【００１９】
このようにして、本発明の構成を以って、アンテナパターンの欠損部による通信距離の低下を好適に抑制するダイポール型ＩＣタグ用アンテナを提供することができる。
【００２０】
また、一般的なＩＣタグ用ダイポール型アンテナと同様、通信周波数の変化による通信距離への影響はアンテナ放射部の線幅を太くすることで抑制できる。合流路においては、分岐路に比べ線幅を太くし、分岐路においては、一対の分岐路を並列に接続しているため、実質的に線幅を太くしたのと同じ効果が奏される。
【００２１】
さらに、本発明のダイポール型ＩＣタグ用アンテナでは、具体的な態様として、アンテナ放射部が、一対のメアンダ状をなす導体部を複数個所において、重畳、または、短絡させて合流路としたアンテナパターンによって構成される。
【００２２】
複数の合流路を設けることにより、分岐路を複数の区間に分割し分岐路の欠損部による影響を最小限に抑えることができる。このようにするとアンテナパターンの欠損部に、より強いダイポール型ＩＣタグ用アンテナを提供することができる。また、一対のメアンダ状の導体部の間を重畳または短絡するだけであるから、構成も簡単となる。
【００２３】
また、本発明のダイポール型ＩＣタグ用アンテナでは、分岐点から合流点までの分岐路がループ状をなし、隣接するループ間に隙間が設けられて、その隙間において合流路を破断することにより、破断箇所よりも外側に位置するアンテナ放射部を切り離し得るように構成することが好適である。
【００２４】
このように構成することで、分岐と合流を繰り返す本発明の基本的形態を利用して、さらに、ＩＣチップの特性によるアンテナ特性の調整や複数仕様への対応が容易な、ダイポール型ＩＣタグ用アンテナを提供することができる。
【００２５】
さらに、本発明のダイポール型ＩＣタグ用アンテナでは、アンテナパターンは、放射部延伸方向の中央部に放射部延伸方向と交叉する方向に分岐する一対の中央分岐路を有し、両中央分岐路の合流点の両側にアンテナ放射部を有したものであって、中央分岐路の一方にＩＣチップ実装端を設けてＩＣチップ実装部とし、他方をインピーダンス調整部とする構成を採用し、さらに、中央分岐路にもっとも近いアンテナ放射部の合流路を放射部延伸方向に沿って２つに分離させることで、新たにアンテナ放射部の分岐路であった線路とともに中央分岐路側に属し得るように構成することが好適である。
【００２６】
このように中央分岐路にインピーダンス調整部を設けたアンテナにおいて、本発明が合流部の線幅を無理なく太くできる点を利用し、合流路に放射部延伸方向に沿ってスリット等を入れるだけで、アンテナ放射部の一部をインピーダンス調整部とし、中央分岐路の形態を変化させて、アンテナのインピーダンスを調整することができる。
【００２７】
このようにすると、多様なＩＣチップの仕様や通信周波数に好適に対応できるダイポール型ＩＣタグ用アンテナ提供することができる。
以上のダイポール型ＩＣタグ用アンテナにＩＣチップを付帯させたものとしては、一対のアンテナ放射部の間にＩＣチップ実装部を有し、当該ＩＣチップ実装部にＩＣチップを実装しているものが挙げられる。
一方、上記各々のダイポール型ＩＣタグ用アンテナのアンテナパターンを、ロール状に巻き取り可能な基材上に巻き取り方向に沿って多数形成し、当該基材をロール状に巻き取ってアンテナロールとしておけば、当該ダイポール型ＩＣタグ用アンテナを大量に提供することが可能となる。
【００２８】
また、ＩＣタグ用アンテナのアンテナ放射部の少なくとも一箇所に放射部延伸方向と交叉する方向に分岐する一対の分岐路を有しているＩＣタグを、前記分岐路を有したまま使用すると、使用時に生じるアンテナパターンの欠損部による通信距離の低下が好適に抑制されるという上記に準じた作用効果が奏される。
【００２９】
すなわち、規則的に分岐と合流を繰り返すことが望ましいが、使用時に少なくとも一箇所の分岐路を有していれば、分岐路において欠損部が生じても通信距離の低下が抑制されるので、分岐路がまったくない場合に比べ、欠損部の影響が抑制できているといえる。
【００３０】
このようにすると、かかる形態のアンテナ放射部を有するＩＣタグに対して、欠損部による影響を好適に抑制できるＩＣタグの新たな使用方法を提供できる。
【発明の効果】
【００３１】
本発明によると、以上説明したように、アンテナパターンの欠損部による通信距離の低下を好適に抑制でき、アンテナの大型化を招くことなく、多様なＩＣチップの仕様や通信周波数に好適に対応可能な、ダイポール型ＩＣタグ用アンテナ、アンテナロール及びＩＣタグの使用方法を提供することができる。
【図面の簡単な説明】
【００３２】
【図１】本発明の一実施形態を示すダイポール型ＩＣタグ用アンテナパターンを示す図。
【図２】本発明のパターン欠損シミュレーションを実施したアンテナパターンを示す図。
【図３】図１、２、６のアンテナパターンにおけるシミュレーション結果を示す図。
【図４】本発明の他の実施形態におけるアンテナパターンを示す図。
【図５】図１、４のアンテナパターンにおけるシミュレーション結果を示す図。
【図６】本発明に係るＩＣタグ用アンテナの仕様変更例を示す図。
【図７】ダイポール型ＩＣタグ用アンテナをロール状に巻回したアンテナロールを示す図。
【図８】ダイポール型ＩＣタグ用アンテナにＩＣチップを実装する一態様を示す図。
【図９】半波長ダイポール型アンテナの基本的構成を示す図。
【図１０】基本的なダイポール型アンテナの仮想的な等価回路図。
【発明を実施するための形態】
【００３３】
以下、本発明の一実施形態を、図面を参照して説明する。
【００３４】
図１（ａ）に本実施形態におけるダイポール型ＩＣタグ用アンテナ１を示す。本実施形のダイポール型ＩＣタグ用アンテナは、一般的なＩＣタグ用半波長ダイポールアンテナと同様、アンテナ中央部にＩＣチップ実装部１０１とインピーダンス調整部１０２とで中央分岐路１０をなし、中央分岐路１０から分岐する態様で、一対のアンテナ放射部１１が、放射部延伸方向Ａに向かって延伸し、アンテナパターンを構成している。また、アンテナ放射部１１の実効アンテナ長がターゲットとする通信波長の約１／２となるように構成されている。中央分岐路１０の内、ＩＣチップ実装端１０３を有する一方がＩＣチップ実装部１０１であり、他方がインピーダンス調整部１０２である。アンテナパターンのうち一対のアンテナ放射部１１、１１の間に位置するＩＣチップ実装部１０３には図８に示すようにＩＣチップＺが実装されてＩＣタグとして使用される。ＩＣチップ実装端１０３の周辺にアンテナを構成しないＩＣチップを安定させる為のチップバンプ用パッド（図示せず）が必要に応じて、設けられてもよい。
【００３５】
ＩＣタグは、一般にカードやシートに内蔵し（或いは貼り付けられて）使用されるので、ＩＣタグ用のアンテナには、平面アンテナが用いられる。アンテナ線材の材質は、銅、アルミ、銀ペーストなどの様々な導電性材料を用いることができる。アンテナ線材の膜厚は、生産時等に生じる膜厚の不均等が、表皮効果によりインピーダンスに実質的影響を与えない厚みにしておけばよい。また、アンテナの基材には、ＰＥＴやＰＰ、ＰＥやＰＶＣなどの誘電体材料を用いることができる。
【００３６】
平面アンテナのパターン形成方法においても、エッチングや印刷など様々な方法が用いられている。
【００３７】
本発明の一実施形態においては、互いに逆方向に延伸する一対のアンテナ放射部１１のアンテナパターンが、放射部延伸方向Ａに直交する２方向に分岐し、分岐路１１２が折り返す形状でループを構成し、放射部延伸方向Ａに直交する方向から再び合流する。分岐と合流は少なくとも１回行えばよいが、より効果的なアンテナパターンを構成するためには、複数回繰り返すことが好ましい。
【００３８】
次にアンテナ放射部１１の具体的態様について説明する。アンテナ放射部１１は、中央分岐路１０の両側に一対で設けられるが、実質的な構成は同じである為、図中左半部のみに着目して説明する。
【００３９】
中央分岐路１０の合流点から分岐したアンテナ放射部１１のパターンは、図１（ｂ）にも拡大して示すように、アンテナ放射部１１の根元の合流路１１ｘから最初に到来する分岐点ｍ（ｍ１）において放射部延伸方向Ａと直交する２方向に分岐した後、合流点ｎ（ｎ１）において合流する。そして、合流点ｎ（ｎ１）から更に放射部延伸方向Ａに合流路１１１（１１１１）が延び、次の分岐点ｍ（ｍ２）において放射部延伸方向Ａと直交する二方向に分岐する。前述したアンテナ放射部１１の根元の合流路１１ｘは、中央分岐路１０と分岐路１１２との間に短絡を起こさない距離ｄ１を保つ。２方向に分岐したそれぞれの分岐路１１２は、往路と復路の間に短絡を起こさない距離ｄ２を保つ。さらに、その先の合流路１１１（１１１１）等も、分岐路１１２と分岐路１１２の間に短絡を起こさない隙間Ｌを保つ。このように、分岐と合流を繰り返し連ね、アンテナ放射部１１の実効アンテナ長が、ターゲットとする通信波長の約１／２とするように構成する。この場合、２方向に分岐した一対の分岐路１１２は、略方形状のループ形状となる。
【００４０】
つまり、アンテナ放射部１１が、一対のメアンダ状をなす導体部１１ｐの平行な部分、すなわち放射部延伸方向Ａに延びる折り返し部のうち互いに近い側に位置する折り返し部を複数個所において重畳または短絡させて合流路１１１としたアンテナパターンによって構成される。
【００４１】
なお、本実施形態において、アンテナ放射部１１が中央分岐路１０の１点から分岐する形態を説明しているが、図１（ｄ）に示すように中央分岐路１０の２点から分岐し、分岐した直後のアンテナ放射部１１が、分岐路１１２であってもかまわない。また、アンテナ放射部１１の終端は、必ずしも合流している必要はなく、図１（ｅ）に示すように分岐路１１２であってもかまわない。
【００４２】
また、本実施形態において、分岐路１１２の形状について、合流路１１１から垂直方向に分岐して折り返す略方形状の構成で説明しているが、必ずしも本構成に限るわけでなく、分岐の方向、折り返す回数、折り返し点の形状等の分岐路１１２の形状は、様々に構成することが可能である。例えば、折り返し点におけるコーナーのエッジ部の面取り、フィレットをはじめ、分岐路１１２が、全体で略三角形状や曲線を含むループ形状である構成や一対の分岐路１１２が単独でメアンダ状をなす構成でも、ＩＣチップとインピーダンス整合が取れる範囲であればかまわない。
【００４３】
出願人は、図４に示されるような様々な分岐路１１２の形状において、通信距離のシミュレーションによる実験を行い、影響を調査した。図５の実験結果が示すように本実験の結果、いずれのアンテナにおいても致命的な通信距離の低下は起きていない。つまり、分岐路１１２が、異なった形状であること（図４（ｄ）、（ｅ）、（ｆ））や、一対の分岐路１１２が非対称形（図４（ａ）、（ｂ））であること、および、一対のアンテナ放射部１１が非対称形（図４（ｄ）、（ｅ））である場合も致命的な通信距離の低下は起きていない。
【００４４】
さらに、本実施形態の半波長ダイポール型ＩＣタグ用アンテナ１において、出願人はシミュレーションを用いて、アンテナパターンの欠損部１１３による通信距離への影響を実験した。
【００４５】
図２に出願人が行ったシミュレーションにおけるアンテナパターンの欠損部１１３の状態を示し、そのシミュレーション実験の結果を図３に示す。図３に示されるように本発明のアンテナの場合、欠損部１１３による通信距離への影響が少なく、図２に示されるような様々な欠損部１１３に対し、致命的な通信距離の低下を起きていないことが判る。
【００４６】
図２（ａ）は、アンテナ放射部１１の先端付近の分岐路１１２の一箇所に欠損部１１３が生じた場合（パターン欠損１の場合）である。
【００４７】
図２（ｂ）は、アンテナ放射部１１の根元付近の分岐路１１２の一箇所に欠損部１１３が生じた場合（パターン欠損２の場合）である。
【００４８】
図２（ｃ）は、片側のアンテナ放射部１１の一方の分岐路１１２のすべてにわたり、それぞれ欠損部１１３が生じた場合（パターン欠損３の場合）である。
【００４９】
図２（ｄ）は、片側のアンテナ放射部１１の一方の分岐路１１２のすべてにわたり、分岐路１１２の先端のすべてを欠損部１１３とした場合（パターン欠損４の場合）である。
【００５０】
図２（ｅ）は、アンテナ放射部１１に様々な位置の分岐路１１２で欠損部１１３が生じた場合（パターン欠損５の場合）である。ただし、一対の分岐路１１２の両方に欠損部１１３は生じていない状態である。
【００５１】
また、本発明においても合流路１１１に欠損部１１３が生じると実効アンテナ長が変化するが、合流路１１１は、放射部延伸方向Ａの長さＬ（図１（ｂ）参照。これは分岐路１１２、１１２間の隙間にも相当する）を短くし、また、分岐路１１２に比べて線幅Ｗ（図１（ｂ）参照）を太く構成することができる。つまり、製造時及び使用時において太く短い合流路１１１を完全に破断させるような欠損部１１３が生じる可能性は極めて低いため、放射部延伸方向Ａのアンテナサイズに影響を与えず、欠損しにくい形状にすることが容易である。
【００５２】
さらに、本実施形態においては、半波長ダイポール型ＩＣタグ用アンテナ１を、通信周波数および、実装するＩＣチップの仕様により、調整する方法を同時に提供している。例えば、隣接する分岐路１１２の間には少なくとも短絡を起こさない為の隙間Ｌが存在するが、一対のアンテナ放射部１１の先端部付近において、それぞれの合流路１１１を隣接する分岐路１１２の隙間において破断させ、その破断箇所よりも先端側にあるアンテナ放射部１１を図６（ａ）に示すように切り離すことができるため、アンテナ放射部１１の実効的なアンテナ長を変化させることにより、対応する通信周波数を変化させることが可能である。
【００５３】
また、アンテナ放射部１１のもっとも中央分岐路１０に近い合流路１１１に図６（ｂ）に示すように放射部延伸方向Ａに沿ったスリット１１１ｚを入れて当該合流路１１１を放射部延伸方向Ａと直交する方向に分離させ、その分離路をアンテナ放射部１１の一部であった分岐路１１２とともに、中央分岐路１０側に移し、ひいては、インピーダンス調整部１０２の線路長を伸ばすことにより、様々なＩＣチップの仕様に対応することも可能である。
【００５４】
加えて、既に説明したように図３は、縦軸に通信距離をとって欠損部１１３の態様に応じて通信距離が変化することを示しているが、通信距離の変化はインピーダンスの変化に由来するものであるため、このことを積極的に利用して、実装されるＩＣチップの仕様等に応じて、一対の分岐路１１２の一方を故意に破断させてインピーダンス調整用の欠損部１１３を生成することも好適な使用方法となり得る。
【００５５】
さらにまた、本発明においては、分岐と合流を繰り返すアンテナパターンによって安定した実効性を担保するものであるが、ＩＣタグ用アンテナ１のアンテナ放射部１１の少なくとも一箇所に分岐路１１２を有しているＩＣタグを、分岐路１１２を有したまま使用しても、分岐路１１２の位置等の条件が適合していれば、アンテナパターンの欠損部１１３による通信距離の低下を好適に抑制することができる。更に言えば、規則的に分岐と合流を繰り返すことが望ましいが、使用時に少なくとも一箇所の分岐路１１２を有していれば、分岐路１１２において欠損部１１３が生じても通信距離の低下が抑制されるので、分岐路１１２がまったくない場合に比べ、欠損部１１３の影響が抑制できているといえる。その場合、ある程度の効果が得られる範囲において、合流路１１１は必ずしも放射部延伸方向Ａを向いている必要はなく、放射部延伸方向Ａと交叉（直交）する方向を向いた形態のものであっても構わない。
【００５６】
図７は、このようなダイポール型ＩＣタグ用アンテナ１をロール状にして多数供給できるようにしたアンテナロールＲを示している。
【００５７】
このアンテナロールＲは、ロール状に巻き取り可能なテープ状の基材Ｂ上に巻き取り方向Ｔに沿って所定ピッチで前記ダイポール型ＩＣタグ用アンテナ１のアンテナパターンを多数形成し、当該基材Ｂを芯材ｒのまわりにロール状に巻き取ってなるものである。アンテナロールＲは、各アンテナパターンのＩＣチップ実装部１０３に図８に示すようにＩＣチップＺを実装した状態で当該ＩＣチップＺもろとも基材Ｂをロール状に巻き取ったものであってもよい。アンテナパターンは、上記基材Ｂ上に蒸着、エッチング、スクリーン印刷等によって形成される。因みに、図７においては、放射部延伸方向Ａと直交する方向が巻き取り方向Ｔとなるようにアンテナパターンは形成されている。
【００５８】
同図において、アンテナパターンが形成されている面は、既に巻き取った状態で基材Ｂの内周側となる面であるが、巻き取った状態で基材Ｂの外周側となる面に形成してもよい。
【００５９】
使用時には、このアンテナロールＲから巻き取り方向Ｔと逆方向に基材Ｂを繰り出し、各ダイポール型ＩＣタグ用アンテナ１のアンテナパターンを基材Ｂとともに図示のように切り取り、或いは基材Ｂから剥離する。そして、必要に応じてアンテナパターンの一部を切り離すなどによりインピーダンス調整等を行った後、糊付けその他の態様によって対象物に付帯させるようにする。このようなアンテナロールＲにより、本実施形態のダイポール型ＩＣタグ用アンテナ１をコンパクトな状態で大量に供給することが可能となる。
【００６０】
なお、各部の具体的な構成は、上述した実施形態のみに限定されるものではなく、本発明の趣旨を逸脱しない範囲で種々変形が可能である。
【符号の説明】
【００６１】
１    …ダイポール型ＩＣタグ用アンテナ
１０  …中央分岐路
１０１…ＩＣチップ実装部
１０２…インピーダンス調整部
１０３…ＩＣチップ実装端
１１  …アンテナ放射部
１１１…合流路
１１２…分岐路
１１３…欠損部
Ａ    …放射部延伸方向
Ｂ    …基材
ｍ（ｍ１、ｍ２）…分岐点
ｎ（ｎ１）…合流点
Ｔ    …巻き取り方向
Ｒ    …アンテナロール
Ｚ    …ＩＣチップ
【図１】
2011182392.tif 000003
【図２】
2011182392.tif 000004
【図３】
2011182392.tif 000005
【図４】
2011182392.tif 000006
【図５】
2011182392.tif 000007
【図６】
2011182392.tif 000008
【図７】
2011182392.tif 000009
【図８】
2011182392.tif 000010
【図９】
2011182392.tif 000011
【図１０】
2011182392.tif 000012